(57)【要約】      （修正有）【課題】スマートフォンあるいは携帯電話を、確実に、使用者の衣服のポケット、あるいはズボンのポケット等に固定出来き、使用者が、スマートフォンあるいは携帯電話を落とすことを防止することができるサスペンサー付きスマートフォン、およびサスペンサー付き携帯電話を提供する。【解決手段】使用者の衣服のポケット、あるいはズボンのポケット等に、仮固定されるサスペンサー付きスマートフォン１であって、サスペンサー２０は、スマートフォンの端部と接合している蝶番止め具２と、蝶番止め具に２接合されたサスペンサー板３とで構成され、サスペンサー板３の、折り曲げられて、スマートフォンと対向する面には、滑り止めリブ３１が形成されたサスペンサー付きスマートフォン。【選択図】図１
2018100456.tif 000002
【特許請求の範囲】
【請求項１】
使用者の衣服のポケット、あるいはズボンのポケット等に、仮固定されるサスペンサー付きスマートフォンであって、
前記サスペンサーは、前記スマートフォンの端部と接合している蝶番止め具と、前記蝶番止め具に接合されたサスペンサー板とで構成され、
前記サスペンサー板の、折り曲げられて、前記スマートフォンと対向する面には、滑り止めリブが形成されたことを特徴とするサスペンサー付きスマートフォン。
【請求項２】
前記滑り止めリブは、山形の繰り返しの帯形状であることを特徴とする請求項１記載の
サスペンサー付きスマートフォン。
【請求項３】
前記サスペンサーの長さは、前記スマートフォンの縦幅をＣとして、０．５Ｃ以上から、０．７Ｃ以下の範囲であることを特徴とする請求項１または２記載のサスペンサー付きスマートフォン。
【請求項４】
前記サスペンサー板の折り曲げられる外側面上には、蛍光塗料、反射塗料が塗布された
ことを特徴とする請求項１または３のいずれ１項記載のサスペンサー付きスマートフォン。
【請求項５】
使用者の衣服のポケット、あるいはズボンのポケット等に、仮固定されるサスペンサー付き携帯電話であって、
前記サスペンサーは、前記携帯電話の端部と接合している蝶番止め具と、前記蝶番止め具に接合されたサスペンサー板とで構成され、
前記サスペンサー板の折り曲げられて、前記携帯電話と対向する面には、滑り止めリブが形成されたことを特徴とするサスペンサー付き携帯電話。
【請求項６】
前記滑り止めリブは、山形の繰り返しの帯形状であることを特徴とする請求項５記載の
サスペンサー付き携帯電話。
【請求項７】
前記サスペンサーの長さは、前記携帯電話の縦幅をＤとして、０．７Ｄ以上から、０．８Ｄ以下の範囲であることを特徴とする請求項５または６記載のサスペンサー付き携帯電話。
【請求項８】
前記サスペンサー板の折り曲げられる外側面上には、蛍光塗料、反射塗料が塗布された
ことを特徴とする請求項５ないし７のいずれか１項記載のサスペンサー付き。
【発明の詳細な説明】
【技術分野】
【０００１】
本発明は、特に、携帯電話を、使用者の衣服のポケット、あるいはズボンのポケット等に、仮固定できるサスペンサーを有するサスペンサー付きスマートフォン、およびサスペンサー付き携帯電話に関する。
【背景技術】
【０００２】
従来、携帯電話などを、固定できる機構については、提案されている。
特許文献１には、携帯電話に装着される、付属品ひも固定機構について、記載されている。
外部より、付属品のひもの端部を押し込むだけで、携帯電話を固定状態にできる。
【先行技術文献】
【特許文献】
【０００３】
【特許文献１】米抄２０１０−１１８４７６号公報
【発明の概要】
【発明が解決しようとする課題】
【０００４】
従来の特許文献１は、付属品のひもを用いて、携帯電話を固定することであるが、ひもを用いているため、ひも装着に、手間がかかり、また、固定状態も、不安定という問題点があった。
【０００５】
本発明の課題は、スマートフォンあるいは携帯電話を、確実に、使用者の衣服のポケット、あるいはズボンのポケット等に仮固定することが出来、使用者が、スマートフォンあるいは携帯電話を落とすことを防止することができるサスペンサー付きスマートフォン、およびサスペンサー付き携帯電話を提供することである。
【課題を解決するための手段】
【０００６】
本発明の請求項１に係る発明は、使用者の衣服のポケット、あるいはズボンのポケット等に、仮固定されるサスペンサー付きスマートフォンであって、前記サスペンサーは、前記スマートフォンの端部と接合している蝶番止め具と、前記蝶番止め具に接合されたサスペンサー板とで構成され、前記サスペンサー板の、折り曲げられて、前記スマートフォンと対向する面には、滑り止めリブが形成されたことを特徴とするサスペンサー付きスマートフォンである。
【０００７】
本発明の請求項２に係る発明は、前記滑り止めリブは、山形の繰り返しの帯形状であることを特徴とする請求項１記載のサスペンサー付きスマートフォンである。
【０００８】
本発明の請求項３に係る発明は、前記サスペンサーの長さは、前記スマートフォンの縦幅をＣとして、０．５Ｃ以上から、０．７Ｃ以下の範囲であることを特徴とする請求項１または２記載のサスペンサー付きスマートフォンである。
【０００９】
前記サスペンサー板の長さが、０．５Ｃ未満であると、サスペンサー付きスマートフォンの仮固定が不十分となる不具合が発生し、前記サスペンサー板の長さが、０．７Ｃを超えると、サスペンサー板の材料費が高くなる不具合が発生する。
【００１０】
本発明の請求項４に係る発明は、前記サスペンサー板の折り曲げられる外側面上には、蛍光塗料、反射塗料が塗布されたことを特徴とする請求項１または３のいずれ１項記載のサスペンサー付きスマートフォンである。
【００１１】
本発明の請求項５に係る発明は、使用者の衣服のポケット、あるいはズボンのポケット等に、仮固定されるサスペンサー付き携帯電話であって、前記サスペンサーは、前記携帯電話の端部と接合している蝶番止め具と、前記蝶番止め具に接合されたサスペンサー板とで構成され、前記サスペンサー板の折り曲げられて、前記携帯電話と対向する面には、滑り止めリブが形成されたことを特徴とするサスペンサー付き携帯電話である。
【００１２】
本発明の請求項６に係る発明は、前記滑り止めリブは、山形の繰り返しの帯形状であることを特徴とする請求項５記載のサスペンサー付き携帯電話である。
【００１３】
本発明の請求項７に係る発明は、前記サスペンサーの長さは、前記携帯電話の縦幅をＤとして、０．７Ｄ以上から、０．８Ｄ以下の範囲であることを特徴とする請求項５または６記載のサスペンサー付き携帯電話である。
【００１４】
前記サスペンサー板の長さが、０．７Ｄ未満であると、サスペンサー付き携帯電話の仮固定が不十分となる不具合が発生し、前記サスペンサー板の長さが、０．８Ｄを超えると、サスペンサー板の材料費が高くなる不具合が発生する。
【００１５】
本発明の請求項８に係る発明は、前記サスペンサー板の折り曲げられる外側面上には、蛍光塗料、反射塗料が塗布されたことを特徴とする請求項５ないし７のいずれか１項記載のサスペンサー付き携帯電話である。
【発明の効果】
【００１６】
請求項１に係る発明によれば、使用者が、スマートフォンを落とすことを防止することができるサスペンサー付きスマートフォンを提供することができる。
【００１７】
請求項２に係る発明によれば、滑り止めリブにより、安定してスマートフォンを仮固定できるサスペンサー付きスマートフォンを提供することができる。
【００１８】
請求項３に係る発明によれば、最適なサスペンサー板の長さを有するサスペンサー付きスマートフォンを提供することができる。
【００１９】
請求項４に係る発明によれば、サスペンサー板の折り曲げられる外側面上に、蛍光塗料、反射塗料が塗布して、使用者を、夜間に目立たせることのできるサスペンサー付きスマートフォンフを提供することができる。
【００２０】
請求項5に係る発明によれば、使用者が、携帯電話を落とすことを防止することができるサスペンサー付き携帯電話を提供することができる。
【００２１】
請求項６に係る発明によれば、滑り止めリブにより、安定して携帯電話を仮固定できるサスペンサー付き携帯電話を提供することができる。
【００２２】
請求項７に係る発明によれば、最適なサスペンサー板の長さを有するサスペンサー付き携帯電話を提供することができる。
【００２３】
請求項８に係る発明によれば、サスペンサー板の折り曲げられる外側面上に、蛍光塗料、反射塗料が塗布して、使用者を、夜間に目立たせることのできるサスペンサー付き携帯電話を提供することができる。
【００２４】
本発明によれば、スマートフォンあるいは携帯電話を、確実に、使用者の衣服のポケット、あるいはズボンのポケット等に仮固定することが出来き、使用者が、スマートフォンあるいは携帯電話を落とすことを防止することができるサスペンサー付きスマートフォン、およびサスペンサー付き携帯電話を提供することができる。
【図面の簡単な説明】
【００２５】
【図１】実施例１のサスペンサー付きスマートフォンの図。図１（a）は、平面図、図１（ｂ）は、図１（a）のＡＡ断面図。
【図２】実施例２のサスペンサー付き携帯電話の図。図２（a）は、平面図、図２（ｂ）は、図２（a）のＡＡ断面図。
【図３】サスペンサー板のリブの図。
【図４】サスペンサーのサスペンサー板を持ち上げた状態の図。
【図５】使用者の衣服のポケットへ、サスペンサー付きスマートフォンを装着した図。
【図６】使用者のズボンのポケットへ、サスペンサー付き携帯電話を装着した図。
【発明を実施するための形態】
【００２６】
本発明の実施の形態によるスペンサー付きスマートフォンは、使用者の衣服のポケット、あるいはズボンのポケット等に、仮固定されるサスペンサー付きスマートフォンであって、
前記サスペンサーは、前記スマートフォンの端部と接合している蝶番止め具と、前記蝶番止め具に接合されたサスペンサー板とで構成され、前記サスペンサー板の、折り曲げられて、前記スマートフォンと対向する面には、滑り止めリブが形成されたことを特徴とするサスペンサー付きスマートフォンである。
【００２７】
ここで、前記滑り止めリブは、山形の繰り返しの帯形状である。
前記サスペンサーの長さは、前記スマートフォンの縦幅をＣとして、０．５Ｃ以上から、０．７Ｃ以下の範囲である。
前記サスペンサー板の長さが、０．５Ｃ未満であると、サスペンサー付きスマートフォンの仮固定が不十分となる不具合が発生し、前記サスペンサー板の長さが、０．７Ｃを超えると、サスペンサー板の材料費が高くなる不具合が発生する。
【００２８】
前記サスペンサー板の折り曲げられる外側面上には、蛍光塗料、反射塗料が塗布されており、使用者を、夜間に、目立たせることができる。
【００２９】
本発明の実施の形態によるスペンサー付き携帯電話は、使用者の衣服のポケット、あるいはズボンのポケット等に、仮固定されるサスペンサー付き携帯電話であって、前記サスペンサーは、前記携帯電話の端部と接合している蝶番止め具と、前記蝶番止め具に接合されたサスペンサー板とで構成され、前記サスペンサー板の折り曲げられて、前記携帯電話と対向する面には、滑り止めリブが形成されたことを特徴とするサスペンサー付き携帯電話である。
【００３０】
前記滑り止めリブは、山形の繰り返しの帯形状である。
前記サスペンサーの長さは、前記携帯電話の縦幅をＤとして、０．７Ｄ以上から、０．８Ｄ以下の範囲である。
前記サスペンサー板の長さが、０．７Ｄ未満であると、サスペンサー付き携帯電話の仮固定が不十分となる不具合が発生し、前記サスペンサー板の長さが、０．８Ｄを超えると、サスペンサー板の材料費が高くなる不具合が発生する。
【００３１】
前記サスペンサー板の折り曲げられる外側面上には、蛍光塗料、反射塗料が塗布されており、使用者を、夜間に、目立たせることができる。
【実施例】
【００３２】
本発明のサスペンサー付きスマートフォン、およびサスペンサー付き携帯電話の実施例について、以下説明する。
【００３３】
（実施例１）
図１は、実施例１のサスペンサー付きスマートフォンの図である。
図１（a）は、平面図、図１（ｂ）は、図１（a）のＡＡ断面図である。
図１（ａ）にて、サスペンサー２０が、スマートフォン１に配置されている。
ここで、サスペンサー２０は、前記スマートフォン１の端部と接合している蝶番止め具２と、前記蝶番止め具２に接合されたサスペンサー板３とで構成されている。
【００３４】
図４は、サスペンサー板３をスマートフォン１から持ち上げた状態の図である。
図４に、示すように、サスペンサー板３は、は、蝶番止め具２を支点として、スマートフォン１の上端部から、回転移動が可能である。
前記蝶番止め具２は、板２１Ａ、板２１Ｂ、および前記板２１Ａ、板２１Ｂをつなぐジョイント２２で構成されていて、板２１Ａが、接着剤などにて、スマートフォン１の上端に固定され、またサスペンサー板３が、板２１Ｂに、接着剤などにて固定されている。
なお、板２１Ａが、スマートフォン１に固定された側は、スマートフォン１の裏側部
（表示部の面と反対側の面）である。
【００３５】
前記サスペンサー板３の、折り曲げられて、前記スマートフォンと対向する面には、滑り止めリブ３１が設けられている。図３は、サスペンサー板３の滑り止め用リブ３１の図である。図３では、前記滑り止め用リブ３１は、山形の繰り返しの帯形状であるが、必ずしも、この形状に限られない。滑り止め用リブ３１の材質は、金属あるいはプラスチックが使用される。ここで、サスペンサー板の長さＸは、前記スマートフォンの縦幅をＣとして、０．６Ｃに設定した。
【００３６】
なお、前記フックピン板３の折り曲げられる外側面上には、蛍光塗料、反射塗料４が塗布されている。前記蛍光塗料、反射塗料４によって、夜間に、使用者を、目立たせることが可能となる。
【００３７】
（実施例２）
図２は、実施例２のサスペンサー付き携帯電話の図である。
図２（a）は、平面図、図２（ｂ）は、図２（a）のＢＢ断面図である。
サスペンサー付き携帯電話１０は、折り曲げられる機構であるが、
図２に示すごとく、フックピン２０が、携帯電話１０に配置されている。
ここで、サスペンサー２０は、前記携帯電話１０の端部と接合している蝶番止め具２と、前記蝶番止め具２に接合されたサスペンサー板３とで構成されている。
【００３８】
ここで、前記サスペンサー板３の、折り曲げられて、前記携帯電話１０と対向する面には、滑り止めリブ３１が設けられている。図３は、フックピンの滑り止め用リブ３１の図である。図３では、前記滑り止め用リブ３１は、山形の繰り返しの帯形状であるが、必ずしも、この形状に限られない。滑り止め用リブ３１の材質は、金属あるいはプラスチックが使用される。ここで、サスペンサー板の長さＸは、前記携帯電話の縦幅をＤとして、０．７Ｄに設定した。
【００３９】
（実施例３）
図５は、使用者の衣服のポケット５０へ、サスペンサー付きスマートフォン１を仮固定した図である。サスペンサー板３によって、安定して、サスペンサー付きスマートフォン１が仮固定できる。
【００４０】
（実施例４）
図６は、使用者のズボンのポケット５０へ、サスペンサー付きスマートフォン１を仮固定した図である。サスペンサー板３によって、安定して、サスペンサー付きスマートフォン１が仮固定できる
【産業上の利用可能性】
【００４１】
本発明によれば、スマートフォンあるいは携帯電話を、確実に、使用者の衣服のポケット、あるいはズボンのポケット等に固定出来き、使用者が、スマートフォンあるいは携帯電話を落とすことを防止することができるサスペンサー付きスマートフォン、およびサスペンサー付き携帯電話を提供することができ、産業の発展に寄与する。
【符号の説明】
【００４２】
１    サスペンサー付きスマートフォン
１０  サスペンサー付き携帯電話
２０  サスペンサー
２    蝶番止め具
２１Ａ、２１Ｂ    板
３    サスペンサー板  
３１    滑り止め用リブ
４    蛍光塗料、反射塗料
６０  使用者の衣服のポケット
７０  使用者のズボンのポケット
Ｘ、Ｙ  サスペンサー板の長さ
Ｃ    スマートフォンの縦の長さ
Ｄ    携帯電話の縦の長さ
【図１】
2018100456.tif 000003
【図２】
2018100456.tif 000004
【図３】
2018100456.tif 000005
【図４】
2018100456.tif 000006
【図５】
2018100456.tif 000007
【図６】
2018100456.tif 000008
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
使用者の衣服のポケット、あるいはズボンのポケットに、仮固定されるサスペンサー付きスマートフォンであって、
前記サスペンサーは、前記スマートフォンの端部と接合している蝶番止め具と、前記蝶番止め具に接合されたサスペンサー板とで構成され、
前記サスペンサー板（３）は、蝶番止め具（２）を支点として、スマートフォン（１）の上端部から、回転移動が可能であり、
前記蝶番止め具（２）は、第１の板（２１Ａ）、第２の板（２１Ｂ）、および前記第１の板（２１Ａ）、第２の板（２１Ｂ）をつなぐジョイント（２２）で構成されていて、第１の板（２１Ａ）が、接着剤などにて、スマートフォン１の上端に固定され、またサスペンサー板３が、第２の板（２１Ｂ）に、接着剤などにて固定され
前記サスペンサー板３の前記スマートフォンと対向する面には、滑り止めリブが形成されたことを特徴とするサスペンサー付きスマートフォン。
【請求項２】
前記滑り止めリブは、山形の繰り返しの帯形状であり、前記サスペンサー板の長手方向全体に配置されたることを特徴とする請求項１記載のサスペンサー付きスマートフォン。
【請求項３】
前記サスペンサーの長さは、前記スマートフォンの縦幅をＣとして、０．５Ｃ以上から、０．７Ｃ以下の範囲であることを特徴とする請求項１または２記載のサスペンサー付きスマートフォン。
【請求項４】
前記サスペンサー板の折り曲げられる外側面上には、蛍光塗料、または反射塗料が塗布されたことを特徴とする請求項１または３のいずれ１項記載のサスペンサー付きスマートフォン。
【請求項５】
使用者の衣服のポケット、あるいはズボンのポケットに、仮固定されるサスペンサー付き携帯電話であって、
前記サスペンサーは、前記携帯電話の端部と接合している蝶番止め具と、前記蝶番止め具に接合されたサスペンサー板とで構成され、
前記サスペンサー板（３）は、蝶番止め具（２）を支点として、スマートフォン（１）の上端部から、回転移動が可能であり、
前記蝶番止め具（２）は、第１の板（２１Ａ）、第２の板（２１Ｂ）、および前記第１の板（２１Ａ）、第２の板（２１Ｂ）をつなぐジョイント（２２）で構成されていて、第１の板（２１Ａ）が、接着剤などにて、スマートフォン１の上端に固定され、またサスペンサー板３が、第２の板（２１Ｂ）に、接着剤などにて固定され
前記サスペンサー板の前記携帯電話と対向する面には、滑り止めリブが形成されたことを特徴とするサスペンサー付き携帯電話。
【請求項６】
前記滑り止めリブは、山形の繰り返しの帯形状であり、前記サスペンサー板の長手方向全体に配置されたことを特徴とする請求項５記載のサスペンサー付き携帯電話。
【請求項７】
前記サスペンサーの長さは、前記携帯電話の縦幅をＤとして、０．７Ｄ以上から、０．８Ｄ以下の範囲であることを特徴とする請求項５または６記載のサスペンサー付き携帯電話。
【請求項８】
前記サスペンサー板の折り曲げられる外側面上には、蛍光塗料、または反射塗料が塗布されたことを特徴とする請求項５ないし７のいずれか１項記載のサスペンサー付き携帯電話。
【手続補正２】
【補正対象書類名】明細書
【補正対象項目名】０００６
【補正方法】変更
【補正の内容】
【０００６】
本発明の請求項１に係る発明は、使用者の衣服のポケット、あるいはズボンのポケットに、仮固定されるサスペンサー付きスマートフォンであって、前記サスペンサーは、前記スマートフォンの端部と接合している蝶番止め具と、前記蝶番止め具に接合されたサスペンサー板とで構成され、前記サスペンサー板（３）は、蝶番止め具（２）を支点として、スマートフォン（１）の上端部から、回転移動が可能であり、前記蝶番止め具（２）は、第１の板（２１Ａ）、第２の板（２１Ｂ）、および前記第１の板（２１Ａ）、第２の板（２１Ｂ）をつなぐジョイント（２２）で構成されていて、第１の板（２１Ａ）が、接着剤などにて、スマートフォン１の上端に固定され、またサスペンサー板３が、板２１Ｂに、接着剤などにて固定され前記サスペンサー板３の前記スマートフォンと対向する面には、滑り止めリブが形成されたことを特徴とするサスペンサー付きスマートフォンである。
【手続補正３】
【補正対象書類名】明細書
【補正対象項目名】０００７
【補正方法】変更
【補正の内容】
【０００７】
本発明の請求項２に係る発明は、前記滑り止めリブは、山形の繰り返しの帯形状であり、前記サスペンサー板の長手方向全体に配置されたることを特徴とする請求項１記載のサスペンサー付きスマートフォンである。
【手続補正４】
【補正対象書類名】明細書
【補正対象項目名】００１０
【補正方法】変更
【補正の内容】
【００１０】
本発明の請求項４に係る発明は、前記サスペンサー板の折り曲げられる外側面上には、蛍光塗料、または反射塗料が塗布されたことを特徴とする請求項１または３のいずれ１項記載のサスペンサー付きスマートフォンである。
【手続補正５】
【補正対象書類名】明細書
【補正対象項目名】００１１
【補正方法】変更
【補正の内容】
【００１１】
本発明の請求項５に係る発明は、使用者の衣服のポケット、あるいはズボンのポケットに、仮固定されるサスペンサー付き携帯電話であって、前記サスペンサーは、前記携帯電話の端部と接合している蝶番止め具と、前記蝶番止め具に接合されたサスペンサー板とで構成され、前記サスペンサー板（３）は、蝶番止め具（２）を支点として、スマートフォン（１）の上端部から、回転移動が可能であり、前記蝶番止め具（２）は、第１の板（２１Ａ）、第２の板（２１Ｂ）、および前記第１の板（２１Ａ）、第２の板（２１Ｂ）をつなぐジョイント（２２）で構成されていて、第１の板（２１Ａ）が、接着剤などにて、スマートフォン１の上端に固定され、またサスペンサー板３が、第２の板（２１Ｂ）に、接着剤などにて固定され前記サスペンサー板の前記携帯電話と対向する面には、滑り止めリブが形成されたことを特徴とするサスペンサー付き携帯電話である。
【手続補正６】
【補正対象書類名】明細書
【補正対象項目名】００１２
【補正方法】変更
【補正の内容】
【００１２】
本発明の請求項６に係る発明は、前記滑り止めリブは、山形の繰り返しの帯形状であり、前記サスペンサー板の長手方向全体に配置されたことを特徴とする請求項５記載のサスペンサー付き携帯電話である。
【手続補正７】
【補正対象書類名】明細書
【補正対象項目名】００１５
【補正方法】変更
【補正の内容】
【００１５】
本発明の請求項８に係る発明は、前記サスペンサー板の折り曲げられる外側面上には、蛍光塗料、または反射塗料が塗布されたことを特徴とする請求項５ないし７のいずれか１項記載のサスペンサー付き携帯電話である。